(57)【要約】原子核分裂反応炉における反応度を制御するための装置、アセンブリ、および、方法の一実例が開示されており、原子核分裂反応炉の一実例が開示されており、反応度制御装置の製造方法の一実例が開示されている。
2015500993.tif 000002
【特許請求の範囲】
【請求項１】
原子核分裂反応炉の温度操作パラメータに対する反応性を有する駆動物質と、
上記駆動物質とは異なる中性子吸収パラメータ変更物質と、
を有し、
上記中性子吸収パラメータ変更物質の一部は、上記駆動物質の一部に物理的に接触しており、
上記中性子吸収パラメータ変更物質は、上記駆動物質によって、原子核分裂反応炉の炉心の選択された部分へと動かすことも、当該部分から動かすこともできるようになっている、
ことを特徴とする受動的反応度制御装置。
【請求項２】
第１の貯蔵器と、
上記第１の貯蔵器と間隙を介する第２の貯蔵器と、
上記第１の貯蔵器と上記第２の貯蔵器との間に介設された第１の導管と、
上記第１の貯蔵器に配分され、原子核分裂反応炉の温度操作パラメータに対する反応性を有する駆動物質と、
上記第１の貯蔵器に配分された中性子吸収パラメータ変更物質と、
を有し、
上記中性子吸収パラメータ変更物質は、上記駆動物質とは異なっており、
上記中性子吸収パラメータ変更物質の一部は、上記駆動物質の一部と物理的に接触しており、
上記中性子吸収パラメータ変更物質は、上記駆動物質によって、上記第１の貯蔵器と上記第２の貯蔵器との間で動かすことができるようになっている、
ことを特徴とする受動的反応度制御装置。
【請求項３】
少なくとも１つの中性子吸収材と、
上記少なくとも１つの中性子吸収材との空間的関係が固定されるように配置された少なくとも１つの受動的反応度制御装置と、
を有し、
上記受動的反応度制御装置は、
原子核分裂反応炉の温度操作パラメータに対する反応性を有する駆動物質と、
上記駆動物質とは異なる中性子吸収パラメータ変更物質と、
を含み、
上記中性子吸収パラメータ変更物質の一部は、上記駆動物質の一部に物理的に接触しており、
上記中性子吸収パラメータ変更物質は、上記駆動物質によって、原子核分裂反応炉の炉心の選択された部分へと動かすことも、当該部分から動かすこともできるようになっている、
ことを特徴とする反応度制御装置。
【請求項４】
少なくとも１つの中性子吸収材と、
上記少なくとも１つの中性子吸収材との空間的関係が固定されるように配置された、少なくとも１つの受動的反応度制御装置と、
を有し、
上記受動的反応度制御装置は、
第１の貯蔵器と、
上記第１の貯蔵器と間隙を介する第２の貯蔵器と、
上記第１の貯蔵器と上記第２の貯蔵器との間に介設された第１の導管と、
上記第１の貯蔵器に配分され、原子核分裂反応炉の温度操作パラメータに対する反応性を有する駆動物質と、
上記駆動物質とは異なる中性子吸収パラメータ変更物質と、
を含み、
上記中性子吸収パラメータ変更物質は、上記第１の貯蔵器に配分され、
上記中性子吸収パラメータ変更物質の一部は、上記駆動物質の一部と物理的に接触しており、
上記中性子吸収パラメータ変更物質は、上記駆動物質によって、上記第１の貯蔵器と上記第２の貯蔵器との間で動かすことができるようになっている、
ことを特徴とする反応度制御装置。
【請求項５】
上記第２の貯蔵器が、原子核分裂反応炉の炉心の選択された部分に配置されている、
ことを特徴とする請求項２または４に記載の装置。
【請求項６】
上記第２の貯蔵器に配置された複数の部材をさらに有し、
上記複数の部材は、上記第２の貯蔵器における自由表面効果を緩和するように配置されている、
ことを特徴とする請求項２または４に記載の反応度制御装置。
【請求項７】
上記第１の貯蔵器には、
第１の部分と、
上記第１の部分と間隙を介する第２の部分と、
上記第１の部分と上記第２の部分との間に介設された第２の導管と、
が含まれ、
上記第２の貯蔵器は、上記第１の部分と上記第２の部分との間に介設され、
上記駆動物質は、上記第１の部分、上記第２の部分および上記第２の導管に配分されている、
ことを特徴とする請求項２または４に記載の反応度制御装置。
【請求項８】
反応炉の容器と、
上記反応炉の容器の中に配置され、少なくとも１つの原子核分裂燃料アセンブリを含む反応炉の炉心と、
少なくとも１つの中性子吸収材と少なくとも１つの受動的反応度制御装置とを含む、少なくとも１つの反応度制御装置と、
上記反応炉の炉心に動作可能に連結された反応炉冷却システムと、
を有し、
上記少なくとも１つの受動的反応度制御装置は、上記少なくとも１つの中性子吸収材との空間的関係が固定されるように配置され、
上記受動的反応度制御装置は、
原子核分裂反応炉の温度操作パラメータに対する反応性を有する駆動物質と、
上記駆動物質とは異なる中性子吸収パラメータ変更物質と、
を含み、
上記中性子吸収パラメータ変更物質の一部は、上記駆動物質の一部に物理的に接触しており、
上記中性子吸収パラメータ変更物質は、上記駆動物質によって、原子核分裂反応炉の炉心の選択された部分へと動かすことも、当該部分から動かすこともできるようになっている、
ことを特徴とする原子核分裂反応炉の装置。
【請求項９】
上記少なくとも１つの受動的反応度制御装置は、筐体をさらに含み、
上記少なくとも１つの中性子吸収材および上記少なくとも１つの受動的反応度制御装置は、上記筐体内に配置されている、
ことを特徴とする請求項３、４および８のいずれか一項に記載の装置。
【請求項１０】
上記少なくとも１つの受動的反応度制御装置は、上記少なくとも１つの中性子吸収材に動作可能に連結された駆動機構をさらに含む、
ことを特徴とする請求項９に記載の装置。
【請求項１１】
上記駆動物質には気体が含まれる、
ことを特徴とする請求項１から４および８のいずれか一項に記載の装置。
【請求項１２】
上記気体には、Ｈｅ、Ｘｅ、Ｋｒ、Ａｒ、Ｎｅ、Ｒｎ、Ｎ2、ＣＯ2およびＮＨ3から選択された、少なくとも１つの気体が含まれる、
ことを特徴とする請求項１１に記載の装置。
【請求項１３】
上記駆動物質には液体が含まれる、
ことを特徴とする請求項１から４および８のいずれか一項に記載の装置。
【請求項１４】
上記中性子吸収パラメータ変更物質には上記駆動物質とは混和しない液体が含まれる、
ことを特徴とする請求項１３に記載の装置。
【請求項１５】
上記駆動物質には固体が含まれる、
ことを特徴とする請求項１から４および８のいずれか一項に記載の装置。
【請求項１６】
上記固体には、フェライトステンレス鋼およびジルコニウム合金から選択された少なくとも１つの固体が含まれる、
ことを特徴とする請求項１５に記載の装置。
【請求項１７】
上記原子核分裂反応炉の温度操作パラメータには、原子炉冷却剤の温度、反応炉の冷却気の温度、および、燃料の温度から選択された、少なくとも１つの温度が含まれる、
ことを特徴とする請求項１から４および８のいずれか一項に記載の装置。
【請求項１８】
上記原子核分裂反応炉の温度操作パラメータには、中性子線束、ベータ線束、ガンマ線束およびニュートリノ線束から選択された、少なくとも１つの線束が含まれる、
ことを特徴とする請求項１から４および８のいずれか一項に記載の装置。
【請求項１９】
上記中性子吸収パラメータ変更物質によって変更可能な中性子吸収パラメータには、反応炉の平均マクロ吸収断面積が含まれる、
ことを特徴とする請求項１から４および８のいずれか一項に記載の装置。
【請求項２０】
上記中性子吸収パラメータ変更物質には中性子吸収材が含まれる、
ことを特徴とする請求項１から４および８のいずれか一項に記載の装置。
【請求項２１】
上記中性子吸収材には、Ｉｎ、Ｌｉ−６、Ｅｕ、Ａｇ、Ｄｙ、Ｂ、Ｈｆ、Ｇｄ、Ｐｍ、Ｃｄ、Ｓｍ、それらの２元混合物、および、それらの共晶混合物から選択された、少なくとも１つの中性子吸収材が含まれる、
ことを特徴とする請求項２０に記載の装置。
【請求項２２】
上記中性子吸収材には原子核分裂燃料物質が含まれる、
ことを特徴とする請求項２０に記載の装置。
【請求項２３】
上記原子核分裂燃料物質には、Ｐｂに溶解しているＵ、Ｕ−Ｆｅ、Ｕ−Ｍｎ、Ｐｕ−Ｍｎ、Ｕ−Ｃｒ、Ｐｕ−Ｃｒ、Ｐｕ−Ｆｅの共晶混合物、およびＰｕ−Ｍｇの共晶混合物から選択された、少なくとも１つの原子核分裂燃料物質が含まれる、
ことを特徴とする請求項２２に記載の装置。
【請求項２４】
上記中性子吸収パラメータ変更物質によって変更可能な中性子吸収パラメータには、中性子スペクトルが含まれる、
ことを特徴とする請求項１から４および８のいずれか一項に記載の装置。
【請求項２５】
上記中性子吸収パラメータ変更物質には、減速材が含まれる、
ことを特徴とする請求項２４に記載の装置。
【請求項２６】
上記減速材には、Ｌｉ−７、Ｃ、ＳｉＣ、水素系物質、水、アンモニア、アセトン、金属水素化物、金属重水素化物、炭素の水懸濁液、および、炭化ケイ素の水懸濁液から選択された、少なくとも１つの減速材が含まれる、
ことを特徴とする請求項２５に記載の装置。
【請求項２７】
上記駆動物質に分布する高Ｚ物質をさらに備える、
ことを特徴とする請求項１から４および８のいずれか一項に記載の装置。
【請求項２８】
上記高Ｚ物質には、Ｗウール、Ｔａ、Ａｕ、Ａｇ、Ｒｅ、およびＯｓから選択された少なくとも１つの物質が含まれる、
ことを特徴とする請求項２５に記載の装置。
【請求項２９】
上記駆動物質は、第１の密度を有し、
上記中性子吸収パラメータ変更物質は、上記第１の密度とは異なる第２の密度を有し、  上記駆動物質は、上記中性子吸収パラメータ変更物質とは混和しない、
ことを特徴とする請求項１から４および８のいずれか一項に記載の装置。
【請求項３０】
上記第２の密度が上記第１の密度より大きい、
ことを特徴とする請求項２９に記載の装置。
【請求項３１】
上記第１の密度が上記第２の密度より大きい、
ことを特徴とする請求項２９に記載の装置。
【請求項３２】
少なくとも１つの温度操作パラメータを有する原子核分裂反応炉を操作する工程と、
上記少なくとも１つの温度操作パラメータに応じて駆動物質の体積を変更する工程と、
上記駆動物質によって、中性子吸収パラメータ変更物質を、原子核分裂反応炉の炉心の選択された部分へと、または、当該部分から動かす工程と、
を含み、
上記中性子吸収パラメータ変更物質は上記駆動物質とは異なっており、上記中性子吸収パラメータ変更物質の一部は上記駆動物質の一部と物理的に接触している、
ことを特徴とする、原子核分裂反応炉における反応度制御方法。
【請求項３３】
上記駆動物質によって、中性子吸収パラメータ変更物質が、上記原子核分裂反応炉の上記炉心の上記選択された部分へと、または、当該部分から動かされたことに反応して、上記原子核分裂反応炉の上記炉心の上記選択された部分における中性子吸収パラメータを変更する工程をさらに含んでいる、
ことを特徴とする請求項３２に記載の反応度制御方法。
【請求項３４】
上記原子核分裂反応炉の温度操作パラメータには、原子炉冷却剤の温度、反応炉の冷却気の温度、および、燃料の温度から選択された、少なくとも１つの温度が含まれる、
ことを特徴とする請求項３２に記載の原子核分裂反応炉における反応度制御方法。
【請求項３５】
上記原子核分裂反応炉の温度操作パラメータには、中性子線束、ベータ線束、ガンマ線束、および、ニュートリノ線束から選択された、少なくとも１つの線束が含まれる、
ことを特徴とする請求項３２に記載の反応度制御方法。
【請求項３６】
上記駆動物質には、その中に分布する高Ｚ物質が含まれ、
上記温度操作パラメータに応じて駆動物質の体積を変更する工程には、上記少なくとも１つの線束に応じて上記駆動物質内に分布する高Ｚ物質を熱する工程が含まれる、
ことを特徴とする請求項３２に記載の反応度制御方法。
【請求項３７】
上記中性子吸収パラメータ変更物質には減速材が含まれる、
ことを特徴とする請求項３２に記載の反応度制御方法。
【請求項３８】
上記駆動物質によって、上記減速材が、上記原子核分裂反応炉の上記炉心の上記選択された部分へと、または、当該部分から動かされたことに反応して、上記炉心の上記選択された部分の中性子スペクトルを変更する工程をさらに含んでいる、
ことを特徴とする請求項３７に記載の反応度制御方法。
【請求項３９】
第１の貯蔵器を製造する工程と、
上記第１の貯蔵器から間隙を介する第２の貯蔵器を製造する工程と、
上記第１の貯蔵器と上記第２の貯蔵器との間に第１の導管を介設する工程と、
原子核分裂反応炉の温度操作パラメータに対する反応性を有する駆動物質を上記第１の貯蔵器に配分する工程と、
中性子吸収パラメータ変更物質を上記第１の貯蔵器に配分する工程と、
を含み、
上記中性子吸収パラメータ変更物質は上記駆動物質とは異なっており、
上記中性子吸収パラメータ変更物質は上記第１の貯蔵器に配分され、
上記中性子吸収パラメータ変更物質の一部は上記駆動物質の一部に物理的に接触しており、
上記中性子吸収パラメータ変更物質は、上記駆動物質によって、上記第１の貯蔵器と上記第２の貯蔵器との間で動かすことができるようになっている、
ことを特徴とする受動的反応度制御装置の製造方法。
【請求項４０】
複数の部材を上記第２の貯蔵器に配置する工程をさらに含み、
当該工程において、上記複数の部材を、上記第２の貯蔵器における自由表面効果を緩和するように配置する、
ことを特徴とする請求項３９に記載の製造方法。
【請求項４１】
第１の貯蔵器を製造する工程には、
上記第１の貯蔵器の第１の部分を製造する工程と、
上記第１の貯蔵器の上記第１の部分から間隙を介する、上記第１の貯蔵器の第２の部分を製造する工程と、
上記第１の貯蔵器の上記第１の部分と上記第１の貯蔵器の上記第２の部分との間に第２の導管を介設する工程と、を含み、
上記第２の貯蔵器は、上記第１の貯蔵器の上記第１の部分と上記第１の貯蔵器の上記第２の部分との間に介設されている、
ことを特徴とする請求項３９に記載の製造方法。
【請求項４２】
駆動物質を上記第１の貯蔵器に配分する工程には、
上記駆動物質を、上記第１の貯蔵器の上記第１の部分、上記第１の貯蔵器の上記第２の部分、および、上記第２の導管に配分する工程が含まれる、
ことを特徴とする請求項４１に記載の製造方法。
【請求項４３】
少なくとも１つの中性子吸収材を設ける工程と、
少なくとも１つの受動的反応度制御装置を上記少なくとも１つの中性子吸収材との空間的関係が固定されるように配置する工程と、
を含み、
上記受動的反応度制御装置には、
原子核分裂反応炉の温度操作パラメータに対する反応性を有する駆動物質、
および、
上記駆動物質とは異なる中性子吸収パラメータ変更物質が含まれており、
上記中性子吸収パラメータ変更物質の一部は上記駆動物質の一部と物理的に接触しており、
上記中性子吸収パラメータ変更物質は、上記駆動物質によって、原子核分裂反応炉の炉心の選択された部分へと動かすことも、当該部分から動かすこともできるようになっている、
ことを特徴とする反応度制御装置の製造方法。
【請求項４４】
筐体内に、
上記少なくとも１つの中性子吸収材と、
上記少なくとも１つの受動的反応度制御装置と、
を配置する工程をさらに含んでいる、
ことを特徴とする請求項４３に記載の製造方法。
【請求項４５】
上記少なくとも１つの中性子吸収材に駆動機構を動作可能に連結する工程をさらに含んでいる、
ことを特徴とする請求項４４に記載の反応度制御装置の製造方法。
【発明の詳細な説明】
【発明の詳細な説明】
【０００１】
〔本発明の分野〕
本開示は、原子核分裂反応炉における反応度の制御に関連する。
【０００２】
〔背景技術〕
本願の出願日に出願データシート（ＡＤＳ）がファイルされている場合には、ＡＤＳは、参照により本願明細書に組み込まれている。また、ＡＤＳにおいて合衆国法典第３５巻第１１９条、第１２０条、第１２１条、又は、第３６５条（ｃ）に基づく優先権が主張された任意の出願、及び、そのような出願に関連する出願（任意且つ全ての親出願、親出願の親出願、親出願の親出願の親出願、その他の出願）も、参照により本願明細書に組み込まれている。また、それらの出願における任意の優先権主張、及び、それらの出願において参照により組み込まれている資料も、本願の主題と矛盾しない範囲内において、参照により本願明細書に組み込まれている。
【０００３】
〔関連出願の相互参照〕
本願は、以下に列挙されている出願（優先権主張出願）が有る場合には、優先権主張出願に関する出願であるか、当該優先権主張出願の最先の有効出願日の利益を主張する出願であるか、又は、その両方に当てはまる出願である。当該優先権主張出願は、例えば、当該優先権主張出願に関連する出願（任意且つ全ての親出願、親出願の親出願、親出願の親出願の親出願、その他の出願）について、仮出願以外の最先の有効優先日を主張する出願、又は、合衆国法典第３５巻第１１９条（ｅ）に基づく利益を主張する出願である。また、本願は、以下に列挙されている関連出願（もしある場合）に関連する出願である。
【０００４】
〔優先権主張出願〕
ＵＳＰＴＯの制定法定外要件のため、本願は、Jesse R. Cheatham, III、Robert A. Corbin、Christopher C. Johns、Brian C. Johnson、Jon D. McWhirter、 Robert C. Petroski、K. Michael Steer、James M. Vollmer、Joshua C. Walterを発明者とする、２０１１年１２月６日に出願された米国仮出願Ｎｏ６１／５６７６０９（タイトル：核分裂反応炉における反応度を制御するシステム及び方法）の優先権の利益を主張する。米国仮出願Ｎｏ６１／５６７６０９は、本願の出願日の過去１２か月以内に出願されたものであり、その出願日の利益を享受する資格が現在同時係属中の出願に与えられる。
【０００５】
〔関連出願〕
なし。
【０００６】
米国特許商標局（ＵＳＰＴＯ）は、特許出願が親出願のシリアル番号を参照する事と特許出願が親出願の継続出願、一部継続出願、又は、分割出願に該当するかを示す事との両方がＵＳＰＴＯのコンピュータプログラムによって要求される旨を公示した（Stephen G. Kunin、先の出願の利益、２００３年３月１８日付けＵＳＰＴＯ公報）。ＵＳＰＴＯは、更に、文献データの自動ローディングを可能とするが、親出願の継続出願、一部継続出願、又は、分割出願としての各出願の識別番号を必要とする、出願データシートのフォームを提供した。本申請組織（以下、「出願人」）は、規則に記載されているように、優先権主張の基礎となる出願を上述のように具体的に参照した。出願人は、上記規則がその固有の基準言語において明確であり、上記規則が、米国特許出願に対する優先権主張のために、シリアル番号および如何なる特徴表示（例えば、「継続」や「一時継続」といったもの）のいずれも必要としないことを理解している。上記に関わらず、出願人は、ＵＳＰＴＯのコンピュータプログラムに一定のデータエントリの要求項目が存在することを理解していることから、上述のように、及び、本願においてファイルされたＡＤＳにおいて、本願とその親出願との関係を提示した。ただし、出願人は、そのような提示が「本願がその親出願の記載事項に対する何らかの新規事項を含むか否か」に関するコメント及び／又は自認の類として解釈されるべきでない、ことを明確に述べておく。
【０００７】
上述の出願のリストがＡＤＳによって与えられたリストと矛盾している場合、出願人は、ＡＤＳの優先権出願のセクションに示されている各出願と本願の優先権出願のセクションに示されている各出願とに対する優先権を主張する意図を持っている。
【０００８】
上記優先権主張出願、及び、上記関連出願、並びに、上記優先権主張出願及び上記関連出願に関連する出願（任意且つ全ての親出願、親出願の親出願、親出願の親出願の親出願等）の全ての主題（任意の優先権主張を含む）は、本願明細書と矛盾しない範囲内において参照により本願明細書に組み込まれている。
【０００９】
〔本発明の概要〕
原子核分裂反応炉における反応度を制御するための例示的な装置、アセンブリおよび方法が開示される。実施形態となる原子核分裂反応炉が開示される。実施形態となる、反応度制御装置の製造方法が開示される。
【００１０】
先の概要は、例示的なものに過ぎず、決して限定することを意図するものではない。上記に記載された例示的な態様、実施形態および特徴に加えて、さらなる態様、実施形態および特徴が、図面および後述する詳細な説明を参照することにより、明らかになる。
【００１１】
〔図面の各図の簡単な説明〕
図１Ａは、実例である実施形態に係る受動的反応度制御装置の略図である。
【００１２】
図１Ｂは、実例である実施形態に係る受動的反応度制御装置の略図である。
【００１３】
図１Ｃは、実例である実施形態に係る受動的反応度制御装置の略図である。
【００１４】
図２Ａは、別の実例である実施形態に係る受動的反応度制御装置の略図である。
【００１５】
図２Ｂは、図２Ａの受動的反応度制御装置の透視図である。
【００１６】
図２Ｃは、実例に係る反応度制御装置の分解斜視図である。
【００１７】
図３は、実例に係る原子核分裂反応炉の略図である。
【００１８】
図４Ａは、原子核分裂反応炉における反応度を制御する方法の実例のフローチャートである。
【００１９】
図４Ｂは、図４Ａのフローチャートの方法の実例となる詳細である。
【００２０】
図４Ｃは、図４Ａのフローチャートの方法の実例となる詳細である。
【００２１】
図４Ｄは、図４Ａのフローチャートの方法の実例となる詳細である。
【００２２】
図５Ａは、受動的反応度制御装置を製造する方法の実例のフローチャートである。
【００２３】
図５Ｂは、図５Ａのフローチャートの方法の実例となる詳細である。
【００２４】
図５Ｃは、図５Ａのフローチャートの方法の実例となる詳細である。
【００２５】
図５Ｄは、図５Ａのフローチャートの方法の実例となる詳細である。
【００２６】
図６Ａは、反応度制御装置を製造する方法の実例のフローチャートである。
【００２７】
図６Ｂは、図６Ａのフローチャートの方法の実例となる詳細である。
【００２８】
図６Ｃは、図６Ａのフローチャートの方法の実例となる詳細である。
【００２９】
〔発明の詳細な説明〕
以下の発明を実施するための形態においては、本願明細書の一部を構成している添付の図面を参照する。図面においては、基本的に、文脈上そうでないことが明らかでない限り、同様の符号が同様の部材を表している。
【００３０】
発明を実施するための形態、図面および特許請求の範囲に記載されている典型的な実施形態は制限を意味しない。本願において示されている主題の精神又は範囲から逸脱しない限り、他の実施形態が用いられてもよいし、その他の変更が加えられてもよい。
【００３１】
本願明細書に記載されている構成要素（例えば、動作）、装置、対象物、及び、それらに付随する説明が、概念を明確にするために例として使用されるものであり、様々な構成の変更が考えられることについて、当業者であれば認識できるであろう。結果として、本願明細書では、記載されている具体例、及び、付随する説明は、より一般的なクラスを代表することを意図として使用されている。一般に、任意の具体例は、そのクラスを代表することを意図して使用されており、特定の構成要素（例えば、動作）、装置、及び、対象物を含まないことは、制限的なものであると捉えられるべきではない。
【００３２】
本願では、見栄えを明瞭にするために、形式的なアウトライン見出しを用いている。しかしながら、アウトライン見出しは見栄えのためのものであり、様々な種類の主題が本願全体を通じて説明されてもよいことを理解すべきである（例えば、装置／構造が処理／動作の見出しの箇所で説明されてもよいし、処理／動作が装置／構造の見出しの箇所で説明されてもよいし、単一のトピックに関する説明が、２つ以上のトピックの見出しの箇所で説明されてもよい）。形式的なアウトライン見出しは、何らかの制限を課すことを意図して使用されたものではない。
【００３３】
〔概要〕
概要としては、原子核分裂反応炉における反応度を制御するための装置、アセンブリ、および、方法の実例が開示され、原子核分裂反応炉の実例が開示され、反応度制御装置の製造方法の実例が開示されている。
【００３４】
本開示の実施形態は、例えば、これらに限定されないが、液体金属によって冷却される反応炉、気体によって冷却される反応炉、水冷式の反応炉、高速炉、および／または、熱反応炉のように、温度操作パラメータが変化するものであれば、どのような原子核分裂反応炉にも適用される。温度操作パラメータは、これらに限定されないが、少なくとも１つの温度、および／または、少なくとも１つの線束である。
【００３５】
原子核分裂反応炉における温度操作パラメータの変化に応じて、様々な実施形態において、原子核分裂反応炉の反応度は、原子核分裂反応炉の炉心のある部位に対して、または、その部位から中性子吸収パラメータ変更物質を動かすことによって制御されてもよい。
【００３６】
例えば、実例示であってこれに限定されないが、様々な実施形態において、中性子吸収パラメータ変更物質には、（i）中性子吸収材、（ii）中性子減速材、および／または、（iii）核燃料が含まれていてもよい。
【００３７】
望ましいいくつかのケースでは、本開示の実施形態は、原子核分裂反応炉における反応度を制御するための主要な手段としての役割を果たしてもよい。他のケースでは、必要であれば、本開示の実施形態によって達成される反応度制御は、制御棒、原子炉の冷却剤に分布するポイズン、および／または、温度フィードバックの特性またはシステムが反応度に与える影響のうち、１以上によって補完されてもよい。
【００３８】
さらに概要としては、図１Ａを参照すると、ある実例である実施形態に係る受動的反応度制御装置１０には、原子核分裂反応炉の温度操作パラメータに対する反応性を有する駆動物質１２と、駆動物質１２とは異なる中性子吸収パラメータ変更物質１４とが含まれている。中性子吸収パラメータ変更物質１４の一部は、駆動物質１２の一部に物理的に接触しており、中性子吸収パラメータ変更物質１４は、駆動物質１２によって、原子核分裂反応炉の炉心（図示せず）の選択された部分へと動かすことも当該部分から動かすこともできる。
【００３９】
一般論として、実施形態は、以下の原理に従って動作する。原子核分裂反応炉（図示せず）は、少なくとも１つの温度操作パラメータを有し、当該少なくとも１つの温度操作パラメータの元で動作する。駆動物質１２の体積は、温度操作パラメータ（または、複数の温度操作パラメータ）に応じて変化する。駆動物質１２は、原子核分裂反応炉の炉心の選択された部分へと、または、その部分から、中性子吸収パラメータ変更物質１４を動かす。原子核分裂反応炉の炉心の選択された部分へと中性子吸収パラメータ変更物質１２が動かされたのに反応して、又は、当該部分から中性子吸収パラメータ変更物質１２が動かされるのに反応して、中性子吸収パラメータは、当該部分において、その中性子吸収パラメータ変更物質１２に応じて変更されてもよい。
【００４０】
限定的ではなく例示的な方法で示される非制限的な複数の実施形態の詳細について以降で説明する。
【００４１】
〔受動的反応度制御装置の非制限的な実施形態〕
受動的反応度制御装置の様々な実施形態が開示される。上述したように、望ましいいくつかのケースでは、本開示の実施形態は、原子核分裂反応炉における反応度を制御するための主要な手段としての役割を果してもよい。他のケースでは、必要であれば、本開示の実施形態によって達成される反応度制御は、制御棒、原子炉冷却剤に分布するポイズン、および／または、温度フィードバックの特性またはシステムムが反応度に与える影響のうち、１以上の物によって補完されてもよい。
【００４２】
望ましいか否かは別として、いくつかの本開示の実施形態のうち、１以上の実施形態は、外部入力（例えば、制御システムまたは操作者が関与するシステムからの入力のような、電気的または機械的な入力）なしに動作することにより、電気機械的な機能を成立させてもよい。しかしながら、いくつかの他の実施形態において、任意の適合するシステム、装置、デバイス、または、方法による相互作用によって、例えば制限（装置内部の流体のような物質の体積もしくは圧力の補充もしくは制御による制限、又は、筐体の体積、炉心内部における位置、もしくは、１以上の装置の内部における相互に関連する１以上の筐体の位置といった装置の構成の変更による制限）なしに、達成できることは理解されるであろう。
【００４３】
以下に、限定のない詳細が、限定的でなく例示的な方法で説明される。
【００４４】
もう一度図１Ａを参照すると、限定のない実施例として与えられるように、限定のない実施形態において、受動的反応度制御装置１０は、原子核分裂反応炉の温度操作パラメータに対する反応性を有する駆動物質を備える。受動的反応度制御装置１０は、駆動物質１２とは異なる中性子吸収パラメータ変更物質１４をさらに備える。中性子吸収パラメータ変更物質１４の一部は、駆動物質１２の一部と物理的に接触し、中性子吸収パラメータ変更物質１４は、駆動物質１２によって、原子核分裂反応炉の炉心（図示せず）の選択された部分へと動かすことも、当該部分から動かすこともできる。
【００４５】
ある実施形態において、駆動物質１２および中性子吸収パラメータ変更物質１４の一部は、貯蔵器１６に配分される。中性子吸収パラメータ変更物質１４の他の一部は、貯蔵器１８に配分される。貯蔵器１６および貯蔵器１８は、中性子吸収パラメータ変更物質１４の一部がさらに入る導管２０によって接続される。貯蔵器１８は、原子核分裂反応炉の炉心（図示せず）の選択された部分（例えば、原子核分裂反応炉の炉心の活性領域の直近）に適切に設置される。
【００４６】
ある実施形態において、特別な用途に必要とされる、複数の駆動物質１２、複数の中性子吸収パラメータ変更物質１４、複数の貯蔵器１６、および／または、複数の貯蔵器１８が上記装置に含まれていてもよいことは理解されるであろう。所望の反応度効果が達成されるように、原子核分裂反応炉の炉心の活性区域または活性領域に対する、駆動物質１２、中性子吸収パラメータ変更物質１４、貯蔵器１６、および／または、貯蔵器１８の位置は、様々であってもよいことは理解されるであろう。
【００４７】
デバイスの内部における中性子吸収パラメータ変更物質１４は、駆動物質１２の膨張によって動かされてもよい。ある実施形態において、駆動物質１２が入る貯蔵器１６、または、中性子吸収パラメータ変更物質１４が入る貯蔵器１８の容積は、例えば、熱膨張する物質、または、異なる熱膨張係数を有する複数の物質の選択および／または構成によって変更されてもよい。
【００４８】
非限定例として限定のない実施例として示されるように、貯蔵器１６の体積は、温度変化によって当初の体積から変わることがある。これにより、駆動物質１２は貯蔵器１６に出入りさせられることになる。類似のシステムが貯蔵器１８に対して構成されてもよい。物質は、例えば、貯蔵器１６および貯蔵器１８が所定の温度変化に対して異なる割合で膨張するように、貯蔵器１６および貯蔵器１８に対して選択される。膨張変化率を異ならせることにより、貯蔵器１６または貯蔵器１８の一方または両方における、駆動物質１２または中性子吸収パラメータ変更物質１４の量を変更してもよい。
【００４９】
駆動物質１２および中性子吸収パラメータ変更物質１４を含む物質は、特別な用途に対して望ましいように選択されてもよいし、例えば、原子核分裂反応炉の型、および／または、所定の原子核分裂反応炉の内部における位置といった（これらに限定されない）要因にある程度依存してもよい。
【００５０】
例えば、実例示であってこれに限定されないが、軽水炉（ＬＷＲ）で利用される装置は、軽水炉で一般的に利用される合金（例えば、ジルコニウムをベースにした合金）から構成されてもよい。
【００５１】
限定的ではなく例示的に示すさらなる実施例として、例えば、空冷式の反応炉のような高温反応炉で利用される装置は、例えば、金属酸化物、炭化物、もしくは、窒化物のようなセラミックの物質、または、耐熱性を有する金属材料（例えば、レニウム、タンタル、もしくは、それらの合金）から構成されてもよい。
【００５２】
ある実施形態において、駆動物質１２には気体が含まれていてもよい。その気体は、例えば、Ｎ2またはＣＯ2（または、それらの組み合わせ）のような（これらには限定されない）不活性（または、比較的不活性な）ガスであってもよい。その気体は、望ましくは、例えば、Ｈｅ、Ｘｅ、Ｋｒ、Ｎｅ、もしくは、Ｒｎ（または、それらの組み合わせ）のような（これらには限定されない）希ガスであってもよい。中性子吸収パラメータ変更物質１４が液体である実施形態においては、駆動物質が、その液体の蒸気であってもよい。例えば、実例示であってこれに限定されないが、中性子吸収パラメータ変更物質１４がＮＨ3の液体である実施形態においては、駆動物質がＮＨ３の蒸気であってもよい。
【００５３】
いくつかの実施形態において、駆動物質１２には液体が含まれていてもよい。さらに図１Ｂを参照すると、受動的反応度制御装置１０Ａにおいて、駆動物質１２には液体が含まれる。そのような実施形態においては、中性子吸収パラメータ変更物質１４には、駆動物質１２とは混和しない液体が含まれる。そのような実施形態においては、駆動物質１２の密度と、中性子吸収パラメータ変更物質１４の密度とは異なっている。いくつかの例において、駆動物質１２の密度は、中性子吸収パラメータ変更物質１４の密度よりも高くてもよいし、いくつかの他の例において、駆動物質１２の密度は、中性子吸収パラメータ変更物質１４の密度よりも低くてもよい
駆動物質１２と中性子吸収パラメータ変更物質１４の一部とは、貯蔵器１６Ａに配分され、そして、貯蔵器１６Ａと貯蔵器１８は、中性子吸収パラメータ変更物質１４の一部を同様に含んでいる導管２０Ａによって接続される。装置１０Ａの他の細部のすべては、装置１０（図１Ａ）の細部と類似しており、繰り返し説明する必要はない。
【００５４】
特別な用途に対して望ましいように、駆動物質１２および中性子吸収パラメータ変更物質１４として任意の不混和性の液体が選択されてもよいことは理解されるであろう。ＬＷＲに配置される装置１０Ａにおける中性子吸収パラメータ変更物質１４に使われる液体は、好適には、低融点の液体金属、または、水溶液（例えば、ホウ酸塩水）、もしくは、有機溶液であってもよい。
【００５５】
駆動物質１２および中性子吸収パラメータ変更物質１４として使用する上での不混和性の液体の適合性を判断するのにも寄与するであろう付加的な要素には、温度および／もしくは圧力の制約条件、駆動物質１２として選択された液体の中性子不活性特性、駆動物質１２および中性子吸収パラメータ変更物質１４として選択された液体間の化学反応性、ならびに、中性子吸収パラメータ変更物質１４が中性子吸収パラメータを変更する能力が含まれる。このような事情において、例えば、水溶液、油、有機溶液、および、液体金属のような不混和性の液体は、特別な用途に対して望ましくなるように選択されてもよい。
【００５６】
ある実施形態において、図１Ａおよび１Ｃを参照すると、駆動物質１２には固体が含まれていてもよい。いくつかの実施形態において（図１Ａに示すように）、固体の駆動物質１２および一部の中性子吸収パラメータ変更物質１４は貯蔵器１６に配分される。これらの実施形態のいくつかにおいては、固体の駆動物質１２の熱膨張または熱収縮が直接的に中性子吸収パラメータ変更物質１４を動かしてもよい。これらの実施形態のいくつかにおいては、固体の駆動物質１２の熱膨張または熱収縮が貯蔵器１６の形を変えてもよく、それによって中性子吸収パラメータ変更物質１４を動かしてもよい。他の詳細のすべては上術され、繰り返し説明される必要はない。
【００５７】
いくつかの他の実施形態において（図１Ｃに示すように）、受動的反応度制御装置１０Ｂでは、固体の駆動物質１２が貯蔵器に供給される必要はない。ただし、必要があれば、貯蔵器に供給されてもよい。中性子吸収パラメータ変更物質１４の一部は、固体の駆動物質１２の一部と、例えば、導管２０Ｂにおいて物理的に接触している。
【００５８】
これらの実施形態のいくつかにおいて、固体の駆動物質１２の熱膨張または熱収縮が中性子吸収パラメータ変更物質１４を直接的に動かす。装置１０Ｂの他の細部のすべては、装置１０（図１Ａ）の細部と類似しており、繰り返し説明される必要はない。
【００５９】
駆動物質１２が固体である実施形態において、その固体は、特別な用途において望ましいように、選択されてもよい。例えば、適合性の判断基準には、熱膨張特性、中性子不活性、腐食特性、化学不活性、放射線障害に対する感受性などが含まれていてもよい。非限定例として示されるように、適合する固体には、フェライト・ステンレス鋼（例えば、ＨＴ９およびＤ９）および／またはジルコニウム合金が含まれていてもよい。
【００６０】
図１Ａ、１Ｂおよび１Ｃを参照すると、原子核分裂反応炉の温度操作パラメータは、例えば、１つ以上の温度（例えば、原子炉冷却剤の温度、反応炉の冷却気の温度、および／または、燃料の温度）であってもよい。装置からの熱エネルギーは、駆動物質１２に伝導し、それによって、駆動物質１２の熱膨張または熱収縮が発生する。さらに、物質の温度という間接的な指標、および、原子核分裂反応炉の温度操作パラメータには、中性子線束、ベータ線束、ガンマ線束、および、ニュートリノ線束が含まれる。これらの線束パラメータは、反応炉の炉心（図示せず）における物質の温度に比例し、または、これらの線束パラメータの変化は、変化しつつある温度パラメータを表示することができる。
【００６１】
中性子吸収パラメータ変更物質１４によって変更可能な中性子吸収パラメータに反応炉の平均マクロ吸収断面積が含まれていることは理解されるであろう。既知のように、吸収断面積は、主として反応炉の炉心の、与えられたスペクトルの同位体毎に定まる。平均値を用いることにより、炉心に対して出入りする中性子吸収パラメータ変更物質１４の物理量が変化する。反応炉の平均マクロ吸収断面積は、燃料アセンブリの平均中性子断面積、制御物質の平均断面積、局所平均断面積、冷却剤平均断面積などに適合する。反応炉の平均マクロ断面積は、原子数密度が含まれる断面積の指標である。換言すれば、反応炉の平均マクロ断面積は、局所的な、または、全体的なマクロ断面積であるとみなしてもよい。
【００６２】
いくつかの実施形態において、中性子吸収パラメータ変更物質１４には、中性子吸収材が含まれる。どのような吸収材が、特別な用途において望ましいように選択されてもよい。非限定例として示されるように、中性子吸収材には、Ｉｎ、Ｌｉ−６、Ｅｕ、Ａｇ、Ｄｙ、Ｂ、Ｈｆ、Ｇｄ、Ｓｍの１個以上、それらの２元混合物、および、それらの共晶混合物が適切に含まれていてもよい。いくつかの実施形態において、中性子吸収材が分散媒において適切に懸濁していてもよい。適切な分散媒には、水溶液、液体金属、および、有機溶液が含まれていてもよい（駆動物質１２が不混和性の液体であれば、適切な分散媒が上述した１以上の制約を受けてもよい）。
【００６３】
中性子吸収パラメータ変更物質１４に中性子吸収材が含まれるいくつかの実施形態において、図１Ａを参照すると、その中性子吸収材には原子核分裂燃料物質が含まれていてもよい。受動的反応度制御装置１０の構成は、上述された構成と同様である。ただし、これらの実施形態において、貯蔵器１６は、原子核分裂反応炉の炉心（図示せず）の選択された部分、例えば、原子核分裂反応炉の炉心の活性領域の直近に適切に配置される。
【００６４】
したがって、反応炉の炉心の活性領域における出力が増加するという出力過渡変動の間に、駆動物質１２によるそれに対する反応によって、反応炉の炉心の活性領域から（中性子吸収パラメータ変更物質１４である）原子核分裂燃料物質が動かされる。これらの実施形態において、その原子核分裂燃料物質には、例えば、Ｐｂに溶解しているＵ、Ｕ−Ｆｅ、Ｕ−Ｍｎ、Ｐｕ−Ｍｎ、Ｕ−Ｃｒ、Ｐｕ−Ｃｒ、Ｐｕ−Ｆｅの共晶混合物、および／または、Ｐｕ−Ｍｇの共晶混合物といった（これらに限定されない）１以上の適切な原子核分裂燃料物質が含まれていてもよい。
【００６５】
図１Ａ、１Ｂおよび１Ｃを参照すると、いくつかの実施形態において、中性子吸収パラメータ変更物質１４によって変更可能な中性子吸収パラメータには中性子のスペクトルが含まれる。そのような実施形態において、中性子吸収パラメータ変更物質１４には、減速材が含まれる。減速材の挿入または除去により、中性子のスペクトルが部分的に柔らかくなり、または、固くなり、燃料親物質、核分裂生成物および構造体の吸収率が増加し、または、減少し、これにより、挿入された減速材の付近で中性子の個数が減少し、または、増加することは理解されるであろう。適切な減速材には、１以上のＬｉ−７、Ｃ、ＳｉＣ、水素系物質、水、アンモニア、アセトン、金属水素化物、金属重水素化物、炭素の水懸濁液、および、炭化ケイ素の水懸濁液が含まれる。
【００６６】
さらに図１Ａ、１Ｂおよび１Ｃを参照すると、いくつかの実施形態において、速度効果を原子核分裂反応炉の設計に合わせることにより、例えば、装置によって確立された反応度の変化が、与えられた反応炉に対してより早く、または、より遅く発生するようにしてもよい。これは、いくつかの実施形態において、駆動物質１２への熱伝導を高める（または、駆動物質１２への熱伝導に影響を及ぼす）ために、既知の熱抵抗を有する物質を、装置の上または中の様々な位置に設置することにより、達成されていてもよい。熱慣性が低いいくつかの反応炉において、反応炉の炉心における急速な温度変化を弱めるために、装置に対して熱伝導をより速く作用させることが望ましい。熱慣性が高い反応炉（例えば、大きなプール型の原子核分裂反応炉）に対しては、上記とは逆にすることが望ましい。
【００６７】
様々な実施形態において、伝導、対流、または、放射による熱移動によって、装置に対して熱エネルギーを受け渡すことが必要とされてもよい。伝導の場合には、必要な伝熱能力を有する固体物質が、反応炉の炉心の熱発生領域と駆動物質１２との間の熱移動速度に影響するように配置されてもよい。熱流体は、さらに、熱発生領域から駆動物質１２への熱移動を促進するように利用されてもよい。そのような熱流体は、例えば、ナトリウムのような液体金属であってもよく、圧力差および物理的な流路によって装置に導かれてもよい。
【００６８】
放射熱移動は、熱エネルギーを、駆動物質１２、中性子吸収パラメータ変更物質１４、および／または、装置の関連機構へと移動してもよい。原子核分裂反応炉の活性領域から放射されるガンマ線または中性子線は、反応炉の炉心の活性領域と装置との間における伝導または対流を伴わず（または伴って）、エネルギーを装置内部に配分してもよい。物質（例えば、そのような放射を弱める金属性のウール、または、発泡体）が装置内部に配置されてもよい。そして、これらの物質は、放射エネルギーを吸収し、熱膨張効果を直接的に（例えば、駆動物質１２または中性子吸収パラメータ変更物質１４の放射熱を通じて）または間接的に（例えば、装置の機構または貯蔵器１６および／または１８の放射熱を通じて）発生させてもよい。これにより、駆動物質１２、および／または、中性子吸収パラメータ変更物質１４へと熱が対流、または、伝導する。
【００６９】
いくつかの実施形態において、物質は、望ましい放射線の減衰が得られるような装置内部に設置されてもよい。例えば、タングステンウールが、ガンマ線の放射を減衰させるために、駆動物質１２の内部に設置されてもよい。それによって、装置内部におけるガンマ発熱が促進され、出力増加に至る迅速な反応が起こりやすくなる。既知のように、タングステンは、密度が高く、比熱が小さく、密度が低いタングステンウールは、大きい比表面積を有する。従って、少量のタングステンは、熱したウールから駆動物質１２への迅速な熱移動をもたらす。さらに、タングステンウールの発熱は、ガンマ線の発熱によって促進されることから、概して熱応答の遅延は非常に小さい。シリコンカーバイドのような、ガラスまたはセラミックのウール、ホウ酸塩ガラス、および／または、一塊のセラミック材といった（これらには限定されない）特別な用途において望ましい他の物質が利用されてもよい。
【００７０】
ホウ素のような中性子吸収材は、類似の効果を生成するためにさらに使用されてもよい。いくつかのケースでは、放射線を実質的に通す物質（例えば、ジルコニウムまたは鉄）を利用することが望ましい。それによって、装置の反応度は、放射環境の関数ではなく、対流および伝導による熱移動の関数になる。これを受けて、ある実施形態において、高Ｚ物質が駆動物質１２に分布していてもよい。そのようなケースにおいて、高Ｚ物質には、例えば、タングステン（Ｗ）ウール、Ｔａ、Ａｕ、Ａｇ、Ｒｅ、および／または、Ｏｓのような１以上の物質が含まれていてもよい。
【００７１】
受動的反応度制御装置のさらなる実施形態について、非限定例として述べる。ある１つの実施形態において、図２Ａを参照すると、概要として、受動的反応度制御装置５０が開示されている。装置５０は、ナトリウムボイド価値（sodium void worth）を受ける原子核分裂反応炉（例えば、ナトリウムによって冷却される液体金属を速く生成する反応炉や、ナトリウムによって冷却される進行波炉）において導入されてもよい。
【００７２】
既知のように、すべての操作温度または（例えば、事故条件において直面するような）異常な温度において、反応度の温度係数が負の値を有することが望ましい。どのように反応度係数が温度とともに変化するかを理解することも望ましい。最も強い非線形効果は、ナトリウムの膨張およびドップラーである。径方向の膨張は非線形であることも予想される。これらの効果の結果、温度が高いほど、反応度の温度係数はより大きい値になる。炉心から離れているナトリウムの効果は、単位質量に対して線形になることが想定される。
【００７３】
冷却剤の温度係数は、温度が高いほどより大きい値になる。何故ならば、各温度では、その前の温度よりも、ナトリウムの破片がより多く除去されるからである。全体的な効果は、操作温度から沸点に至るまでに約１０％強化される。
【００７４】
実例示であってこれに限定されないが、受動的反応度制御装置１０には、貯蔵器５６とその貯蔵器５６から間隙を介する貯蔵器５８とが含まれる。導管６０が貯蔵器５６と貯蔵器５８との間に介設される。駆動物質１２は貯蔵器５６に配分され、駆動物質１２は原子核分裂反応炉の温度操作パラメータに対する反応性を有する。中性子吸収パラメータ変更物質１４は貯蔵器５６に配分される。中性子吸収パラメータ変更物質１４は駆動物質１２とは異なる。中性子吸収パラメータ変更物質１４の一部は、駆動物質１２の一部と物理的に接触する。中性子吸収パラメータ変更物質１４は、貯蔵器５６と貯蔵器５８との間を駆動物質１２によって動かすことができる。
【００７５】
装置５０は、以下のａ）、ｂ）、及び／又は、ｃ）の方法によって、反応度、および／または、増加する負の温度係数を受動的に制御してもよい。
ａ）中性子吸収パラメータ変更物質１４を、炉心の価値の高い領域へと、または、その領域から動かす。
ｂ）炉心のある領域へと、または、その領域から中性子減速材を動かす。
ｃ）原子核分裂燃料物質を炉心から取り除く。
【００７６】
実施形態に係る受動的反応度制御装置５０の例示的な細部について、例示的に述べる。
【００７７】
いくつかの実施形態において、貯蔵器５８は、原子核分裂反応炉の炉心の選択された部分、例えば、反応炉の炉心の活性領域に配置される。貯蔵器５８は、受動的反応度制御装置５０の実施形態において、反応炉の炉心の活性領域に配置される。受動的反応度制御装置５０においては、以下のａ）、及び／又は、ｂ）の方法によって、反応度が受動的に制御され、および／または、温度係数の負の値が増加される。
ａ）中性子吸収パラメータ変更物質１４を、炉心の価値の高い領域へと、または、その領域から動かす。
ｂ）炉心のある領域へと、または、その領域から、中性子減速材を動かす。受動的反応度制御装置５０の他の実施形態において、原子核分裂燃料物質を炉心から取り除くことによって、反応度が受動的に制御され、および／または、温度係数の負の値が増加される。この実施形態では、貯蔵器５６は、反応炉の炉心の活性領域に配置される。
【００７８】
いくつかの実施形態において、必要であれば、１以上の部材６２が貯蔵器５８に配置されてもよい。そのような実施形態において、部材６２は、貯蔵器５８における自由表面効果を緩和するように配置される、“あまり動かない羽根”として作用する。
【００７９】
いくつかの実施形態において、貯蔵器５６には、ある部分６４、その部分６４から間隙を介する部分６６、および、部分６４と部分６６との間に介設される導管６８が含まれる。貯蔵器５８は、部分６４と部分６６との間に介設される。駆動物質１２は、部分６４、部分６６、および、導管６８に配分される。
【００８０】
駆動物質１２および中性子吸収パラメータ変更物質１４に関する他のすべての詳細は、装置（図１Ａ〜１Ｃ）の他の実施形態に関して先に説明した詳細と同様である。これらの詳細は、この参照によって組み込まれ、理解のために繰り返し説明される必要はない。
【００８１】
さらに図２Ｂを参照すると、いくつかの実施形態において、受動的反応度制御装置５０は、筐体７０に配置されてもよい。受動的反応度制御装置５０および筐体７０の構造材料は、特別な用途において望ましいように選択されてもよいし、例えば、原子核分裂反応炉の型、および／または、特定の原子核分裂反応炉内部における位置といった（これらには限定されない）要素に部分的に依存してもよい。例えば、実例示であってこれに限定されないが、軽水炉（ＬＷＲ）に用いられる受動的反応度制御装置５０および筐体７０は、軽水炉に一般的に用いられる合金、例えば、ジルコニウムをベースとする合金によって構成されてもよい。さらに、例えば、実例示であってこれに限定されないが、高温反応炉（例えば、ガス冷却式の反応炉）に用いられる受動的反応度制御装置５０および筐体７０は、セラミック材料（例えば、金属酸化物、炭化物、もしくは、窒化物）、または、耐熱性を有する金属材料（例えば、レニウム、タンタル、もしくは、それらの合金）によって構成されてもよい。受動的反応度制御装置１０、１０Ａ、および／または、１０Ｂ（図１Ａ、１Ｂおよび１Ｃ）のいずれも、特別な用途おいて望ましいように筐体７０に配置されてもよいことは理解されるであろう。
【００８２】
さらに図２Ｃを参照すると、いくつかの実施形態において、実例示的な反応度制御装置８０には、１以上の中性子吸収部材８２、および、１以上の受動的反応度制御装置５０が含まれてもよい。該１以上の中性子吸収部材８２は、例えば、これに限定されないが、制御棒、または、安全棒であり、該１以上の受動的反応度制御装置５０は、中性子吸収材８２に対する空間的関係が固定されるように配置される。例えば、中性子吸収材８２および受動的反応度制御装置５０は、例えば、これに限定しないが、管のような筐体８４に配置されてもよい。駆動機構（図２Ｃに図示せず）は、動作可能なように、中性子吸収材８２に連結されてもよい。受動的反応度制御装置１０、１０Ａ、および／または、１０Ｃ（図１Ａ、１Ｂおよび１Ｃ）のいずれも、特別な用途において望ましいように、反応度制御装置８０に含まれてもよいことは、理解されるであろう。
【００８３】
受動的反応度制御装置１０、１０Ａ、１０Ｂ（図１Ａ、１Ｂおよび１Ｃ）および５０（図２Ａ）に関する詳細は、先に説明されて、参照によって組み込まれており、理解のために繰り返し説明されることは必要ない。
【００８４】
さらに図３を参照すると、いくつかの実施形態において、実例示的な原子核分裂反応炉９０には、反応器９２が含まれる。反応炉の炉心９４は、反応器９２内に配置される。反応炉の炉心９４には、１以上の原子核分裂燃料アセンブリ９６が含まれる。原子核分裂反応炉９０には、反応炉の炉心９４に動作可能に連結される反応炉冷却システム９８も含まれる。放熱板１００は、反応炉の炉心９４および反応炉冷却システム９８に動作可能に連結される。放熱板１００は、反応炉の炉心９４を出る原子炉冷却剤から、所望のエネルギー変換デバイスに熱を移動し、例えば、電気の生成、および／または、推進原動力といった働きをするように原子炉冷却剤からの熱を変換し、冷却された原子炉の冷却剤を冷却システム９８に戻す。既知のように、放熱板１００には、液体金属冷却式の反応炉における１以上の中間熱交換器、１以上の蒸気発生器および関連する液化装置、電気の生成および／もしくは推進原動力のための１以上の蒸気駆動式のタービン、ガス冷却式の反応炉における１以上のガス駆動式のタービン、ならびに／または、その他同種類のものなど（これらに限定されない）が含まれる。
【００８５】
どのような型の原子核分裂反応炉が原子核分裂反応炉９０に含まれてもよいことは理解されるであろう。原子核分裂反応炉の型に関する制限は意図されていないし、推測されるべきでもない。限定的でなく例示的な非限定例として、原子核分裂反応炉９０には、温度スペクトル反応炉、高速スペクトル反応炉、増殖炉、進行波（増殖および燃焼）炉、ガス冷却式の反応炉、液体金属冷却式の反応度、水冷式の反応炉（例えば、加圧水式の反応炉、および／または、沸騰水式の反応炉）、プール型の反応炉、または、ループ型の反応炉が含まれてもよい。
【００８６】
原子核分裂反応炉９０には、１以上の反応度制御装置８０が含まれる。上述したように、反応度制御装置８０には、制御棒または安全棒のような（これらには限定されない）１以上の中性子吸収材８２、および、１以上の受動的反応度制御装置が含まれており、該１以上の受動的反応度制御装置は、中性子吸収材８２に対する空間的関係が固定されるように配置されている。さらに上述したように、受動的反応度制御装置１０、１０Ａ、および／または、１０Ｃ（図１Ａ、１Ｂおよび１Ｃ）のいずれも、特別な用途において望ましいように反応度制御装置８０に含まれてもよいことは理解されるであろう。１以上の駆動機構１０２は、必要に応じて、中性子吸収材８２に操作可能に連結されてもよい。駆動機構１０２は、その駆動機構１０２によって中性子吸収材８２の挿入および／または除去を制御するために、反応度制御システム１０４に操作可能に連結されてもよい。
【００８７】
〔例示的な方法〕
例示的な実施形態に係る受動的反応度制御装置、反応度制御装置、および、原子核分裂反応度について述べたので、これから、実例次的な方法について非限定例として述べる。この方法の実施形態は、装置１０、１０Ａ、１０Ｂおよび５０、ならびに、原子核分裂反応炉９０の実施形態と関連して用いられてもよい。装置１０、１０Ａ、１０Ｂおよび５０、ならびに、原子核分裂反応炉９０の詳細は先に説明され、この参照により組み込まれており、例示的な方法の実施形態を理解するために繰り返し説明される必要はない。
【００８８】
以下は、実施方法を表現した一連のフローチャートである。理解を容易にするために、この一連のフローチャートは、最初の１つ以上のフローチャートが実施方法をある一例に係る実施方法として提示し、次の１つ以上のフローチャートが別の実施方法、および／または、最初のフローチャートの拡張部分（１以上の先に提示されたフローチャートに基づくサブコンポーネントまたは追加コンポーネントの動作）を提示するように構成されている。当業者は、一般的に、ここで利用される提示スタイル（例えば、一例に係る実施方法を示すフローチャートを提示し、その後に、次のフローチャートで付加的事項および／またはさらなる詳細を提示するスタイル）が、様々な処理の実施方法を迅速かつ簡単に理解するのを可能にすることについて、理解するであろう。さらに、当業者は、ここで利用される提示スタイルがモジュール指向プログラムおよび／またはオブジェクト指向プログラムの設計思想によく適合していることを理解するであろう。
【００８９】
図４Ａを参照すると、原子核分裂反応炉における反応度を制御する例示的な方法４００が提示されている。方法４００は、ブロック４０２から開始する。ブロック４０４において、原子核分裂反応炉が操作され、その原子核分裂反応炉は少なくとも１つの温度操作パラメータを有する。ブロック４０６において、駆動物質の体積は、少なくとも１つの温度操作パラメータに応じて変更される。ブロック４０８において、中性子吸収パラメータ変更物質は、駆動物質によって、原子核分裂反応炉の炉心の選択された部分へと、または、その部分から動かされる。その中性子吸収パラメータ変更物質は駆動物質とは異なっており、中性子吸収パラメータ変更物質の一部は駆動物質の一部と物理的に接触している。方法４００は、ブロック４１０で終了する。
【００９０】
さらに図４Ｂを参照すると、いくつかの実施形態では、ブロック４１２において、原子核分裂反応炉の炉心の選択された部分における中性子吸収パラメータは、駆動物質によって当該部分へと、又は、当該部分から中性子吸収パラメータ変更物質が動かされたことに反応して、変更されてもよい。
【００９１】
いくつかの実施形態において、原子核分裂反応炉の温度操作パラメータには、原子炉冷却剤の温度、原子炉冷却気の温度、および、燃料の温度から選択された、少なくとも１つの温度が含まれてもよい。いくつかの実施形態において、原子核分裂反応炉の温度操作パラメータには、中性子線束、ベータ線束、ガンマ線束、および、ニュートリノ線束から選択された、少なくとも１つの線束が含まれてもよい。
【００９２】
いくつかの実施形態において、駆動物質には、その中に分布する高Ｚ物質が含まれていてもよい。そのような実施形態において、さらに図４Ｃを参照すると、ブロック４０６における温度操作パラメータに応じて駆動物質の体積を変更する工程には、ブロック４１４における少なくとも１つの線束に応じて駆動物質内に分布する高Ｚ物質を熱する工程が含まれていてもよい。
【００９３】
いくつかの実施形態において、中性子吸収パラメータ変更物質には減速材が含まれてもよい。そのような実施形態において、さらに図４Ｄを参照すると、ブロック４１６において、原子核分裂反応炉の炉心の選択された部分における中性子スペクトルは、駆動物質によって当該部分へと、又は、当該部分から減速材が動かされたことに反応して、変更されてもよい。
【００９４】
図５Ａを参照すると、受動的反応度制御装置を製造する例示的な方法５００が提示されている。方法５００は、ブロック５０２から開始する。ブロック５０４において、第１の貯蔵器が製造される。ブロック５０６において、第１の貯蔵器から間隙を介する第２の貯蔵器が製造される。ブロック５０８において、第１の導管が第１の貯蔵器と、第２の貯蔵器との間に介設される。ブロック５１０において、駆動物質が第１の貯蔵器に配分される。この駆動物質は、反応炉の温度操作パラメータに対する反応性を有する。ブロック５１２において、中性子吸収パラメータ変更物質が第１の貯蔵器に配分される。この中性子吸収パラメータ変更物質は、駆動物質とは異なっており、第１の貯蔵器に配分される。中性子吸収パラメータ変更物質の一部は、駆動物質の一部に物理的に接触している。中性子吸収パラメータ変更物質は、第１の貯蔵器と第２の貯蔵器との間を駆動物質によって動かすことができる。方法５００は、ブロック５１４で終了する。
【００９５】
さらに図５Ｂを参照すると、いくつかの実施形態において、ブロック５１６において、複数の部材が第２の貯蔵器に配置されていてもよい。この複数の部材は、第２の貯蔵器における自由表面効果を緩和するように配置される。
【００９６】
いくつかの実施形態において、さらに図５Ｃを参照すると、ブロック５０４における第１の貯蔵器を製造する工程には、ブロック５１８における第１の貯蔵器の第１の部分を製造する工程、ブロック５２０における第１の貯蔵器の第１の部分から間隙を介する、第１の貯蔵器の第２の部分を製造する工程、ブロック５２２における、第２の貯蔵器を、第１の貯蔵器の第１の部分と、第１の貯蔵器の第２の部分との間に介設し、第１の貯蔵器の第１の部分と、第１の貯蔵器の第２の部分との間に第２の導管を介設する工程が含まれていてもよい。
【００９７】
いくつかの実施形態において、さらに図５Ｄを参照すると、ブロック５１０における駆動物質を第１の貯蔵器に配分する工程には、ブロック５２４における、駆動物質を、第１の貯蔵器の第１の部分、第１の貯蔵器の第２の部分、および、第２の導管に配分する工程が含まれていてもよい。
【００９８】
図６Ａを参照すると、反応度制御装置を製造する例示的な方法６００が提示されている。方法６００はブロック６０２から開始する。ブロック６０４において、少なくとも１つの中性子吸収材が設けられる。ブロック６０６において、少なくとも１つの受動的反応度制御装置が少なくとも１つの中性子吸収材との空間的関係が固定されるように配置される。この受動的反応度制御装置には、原子核分裂反応炉の温度操作パラメータに対する反応性を有する駆動物質、および、駆動物質とは異なる中性子吸収パラメータ変更物質が含まれている。また、中性子吸収パラメータ変更物質の一部は駆動物質の一部と物理的に接触しており、中性子吸収パラメータ変更物質は、駆動物質により、原子核分裂反応炉の炉心の選択された部分へと、または、その部分から動かすことができる。方法６００は、ブロック６０８で終了する。
【００９９】
さらに図６Ｂを参照すると、いくつかの実施形態において、ブロック６１０で、少なくとも１つの中性子吸収材および少なくとも１つの受動的反応度制御装置が筐体に配置されてもよい。
【０１００】
さらに図６Ｃを参照すると、いくつかの実施形態において、ブロック６１２で、駆動機構を少なくとも１つの中性子吸収材と動作可能に連結してもよい。
【０１０１】
本願明細書で言及され、且つ／又は、任意の出願データシートに列記されている上述の米国特許、米国特許出願公開、米国特許出願、外国特許、外国特許出願、及び、特許ではない公開物の全ては、本願明細書と矛盾しない範囲内において参照により本願明細書に組み込まれている。
【０１０２】
本願明細書における、実質的に任意の複数形及び／又は単数形の用語の使用に関し、当業者であれば、文脈及び／又は本願に適合している限り、複数形を単数形に置き換え、及び／又は、単数形を複数形に置き換えることができる。本願明細書を明瞭にするため、本願明細書においては、様々な単複の置換について明記しない。
【０１０３】
本願明細書に記載されている主題は、他の構成要素の内部に含まれるか、又は、他の構成要素と接続された様々な構成要素を図示していることがある。そのように描写された構造は単に例示的なものであり、実際、同じ機能を実現可能な他の多くの構造を導入してもよいことを理解すべきである。概念的な意味では、同じ機能を実現するために複数の構成要素が効果的に連携するように配置され、これにより、所望の機能が実現される。このことから、本願明細書において特定の機能を実現するために結合される任意の２つの構成要素は、所望の機能を実現するために、構造または中間部品とは無関係に、互いに連携すると見做すことができる。同様に、そのように連携している任意の２つの構成要素は、所望の機能を実現するために、互いと「動作可能に接続されている」又は「動作可能に結合されている」と見做すこともでき、そのように連携可能な任意の２つの構成要素は、所望の機能を実現するために、互いと「動作可能に結合可能である」と見做すこともできる。動作可能に結合可能な構成要素の具体例には、物理的に対にすることが可能な構成要素、及び／又は、物理的に相互作用している構成要素、及び／又は、無線で相互作用可能な構成要素、及び／又は、無線で相互作用している構成要素、及び／又は、論理的に相互作用している構成要素、及び／又は、無線で相互作用可能な構成要素が含まれるが、上記具体例は、これらには限定されない。
【０１０４】
いくつかの例では、本明細書において１又は複数のコンポーネントが「するように構成される」「によって構成される」「するように構成可能な「するように動作可能な／動作する」「適応する／適応可能な」「可能な」「するのに適合可能な／適合する」等と表現されてもよい。当業者であれば「一般的に、そのような用語（例えば「するように構成される」）は、文脈上そうでないことが明らかでない限り、活性化した状態の構成要素、及び／又は、活性化していない状態の構成要素、及び／又は、スタンバイ状態の構成要素を包含すること」を理解できるであろう。
【０１０５】
本明細書に記載されている本主題の特定の態様を示し、且つ、説明してきたが、当業者であれば「本明細書の教示に基づき、本明細書に記載されている主題、及び、より広い態様から逸脱しない範囲内で変形及び変更が可能である」ことは明らかである。従って、添付の特許請求の範囲は、その範囲内において、本明細書に記載されている主題の真の精神及び範囲の中に含まれる全ての変形及び変更を含んでいる。「本明細書（特に添付の特許請求の範囲（例えば、特許請求の範囲の本文））において使用されている用語は、一般的にオープンタームであることが意図されている（例えば、「を含んでいる」という用語は「を含んでいるが、それに限定されない」と解釈されるべきであり、「を有している」という用語は「を少なくとも有している」と解釈されるべきであり、「を含む」という用語は「を含むが、それに限定されない」と解釈されるべきである）」ことは当業者によって理解されるであろう。さらに、当業者であれば「導入されたクレーム記載中の特定の数値に意図がある場合には、そのような意図がそのクレーム中において明確に記載されており、そのような記載がない場合には、そのような意図は存在しないこと」を理解するであろう。理解を促すために、例えば、後続の添付の特許請求の範囲では、クレーム記載を導入するために「少なくとも１つの」及び「１つ以上の」といった導入句を使用することがある。しかしながら、そのような句を使用したからといって『「ａ」又は「ａｎ」といった不定冠詞によりクレーム記載を導入した場合、同一のクレーム内に「１つ以上の」又は「少なくとも１つの」といった導入句と「ａ」又は「ａｎ」といった不定冠詞との両方が含まれているときでも、当該導入されたクレーム記載を含む特定のクレームが、当該クレーム記載を１つのみ含む例に限定されるということが示唆される』と解釈されるべきでない（例えば、「ａ」及び／又は「ａｎ」は、通常は、「少なくとも１つの」または「１つ以上の」を意味すると解釈されるべきである）。クレーム記載を導入するために定冠詞を使用する場合にも同様のことが当てはまる。更に、導入されたクレーム記載において、特定の数が明確に記載されている場合であっても、当業者は『そのような記載は、通常は、少なくとも記載された数を含んでいることを意味する、と解釈されるべきである（例えば、他に修飾子がない単なる「２つの記載事項」は、一般的に、「少なくとも２つの記載事項」又は「２つ以上の記載事項」を意味する）』ことを認識するであろう。さらに、「Ａ、ＢおよびＣなどのうち少なくとも１つ」に類する伝統的表現法が使用される場合、一般に、そのような構造は、当業者がその伝統的表現法を理解するであろうという点が意図されている（例えば、「Ａ、ＢおよびＣのうち少なくとも１つを有するシステム」は、Ａのみ、Ｂのみ、Ｃのみ、ＡとＢの両方、ＡとＣの両方、ＢとＣの両方、及び／又は、ＡとＢとＣの全て等を有するシステムを含むが、これに限定されない）。また、「Ａ、ＢまたはＣなどのうち少なくとも１つ」に類する伝統的表現法が使用される場合、一般に、そのような構造は、当業者がその伝統的表現法を理解するであろうという点が意図されている（例えば、「Ａ、ＢまたはＣのうち少なくとも１つを有するシステム」は、Ａのみ、Ｂのみ、Ｃのみ、ＡとＢの両方、ＡとＣの両方、ＢとＣの両方、及び／又は、ＡとＢとＣの全て等を有するシステムを含むが、これに限定されない）。更に、「２つ以上の代替用語を表す離接語および／または離接句は、一般的に（文脈上そうでないことが明らかでない限り）、明細書中であろうと、特許請求の範囲の中であろうと、図面中であろうと、それらの用語のうちの１つ、それらの用語のうちのいずれか、又は、それらの用語の両方を含む可能性を意図すること」が当業者によって理解されるべきであろう。例えば、「ＡまたはＢ」という句は、「Ａ」「Ｂ」又は「Ａ及びＢ」の可能性を含むことが一般的に理解されるであろう。
【０１０６】
添付の特許請求の範囲に関し、当業者であれば「クレーム中に記載されている複数の動作は、一般的に任意の順序で行われてもよい」ことを理解できるであろう。また、「各種動作の流れがシーケンス中で提示されている場合であっても、当該各種動作は、図示されている順序とは異なる順序で実行してもよいし、或いは、並列的に実行してもよいこと」を理解すべきである。
【０１０７】
そうした代替順序の一例は、文脈上そうでないことが明らかでない限り、重複して（overlapping）、交互的に（interleaved）、割り込んで（interrupted）、再度順序づけされて（reordered）、逐次的に（incremental）、先立って（preparatory）、追加的に（supplemental）、同時に（simultaneous）、逆の順序で（reverse）、または、他の様々な順序で、行うことを含む。また、「〜に応答して」（responsive to）、「〜に関連して」（related to）などの用語、または、過去形の形容詞は、文脈上そうでないことが明らかでない限り、そうした変形を排除することを意図しないことが通常である。
【０１０８】
多様な態様および実施形態が本明細書において開示されたが、その他の態様およびその他の実施形態は、当業者に明らかである。本明細書に開示された上記多様な態様および実施形態は、説明を目的とするものであって限定を意図するものではなく、その真の範囲及び精神は、特許請求の範囲によって示されている。
【０１０９】
本明細書に開示されている主題の様々な態様は、以下のように、番号の付いた箇条書きの形で明確に記載されている。
１．原子核分裂反応炉の温度操作パラメータに対する反応性を有する駆動物質と、
上記駆動物質とは異なる中性子吸収パラメータ変更物質と、
を有し、
上記中性子吸収パラメータ変更物質の一部は、上記駆動物質の一部に物理的に接触しており、
上記駆動物質によって、原子核分裂反応炉の炉心の選択された部分へと、および、その部分から、上記中性子吸収パラメータ変更物質を動かすことができるようになっている受動的反応度制御装置。
２．上記駆動物質には気体が含まれる項目１の装置。
３．上記気体には、Ｈｅ、Ｘｅ、Ｋｒ、Ａｒ、Ｎｅ、Ｒｎ、Ｎ2、ＣＯ2およびＮＨ3から選択された、少なくとも１つの気体が含まれる項目２の装置。
４．上記駆動物質には、液体が含まれる項目１の装置。
５．上記中性子吸収パラメータ変更物質には、上記駆動物質と混和しない液体が含まれる項目４の装置。
６．上記駆動物質には固体が含まれる項目１の装置。
７．上記固体には、フェライトステンレス鋼およびジルコニウム合金から選択された少なくとも１つの固体が含まれる項目６の装置。
８．上記原子核分裂反応炉の温度操作パラメータには、原子炉冷却剤の温度、反応炉の冷却気の温度、および、燃料の温度から選択される少なくとも１つの温度が含まれる項目１の装置。
９．上記原子核分裂反応炉の温度操作パラメータには、中性子線束、ベータ線束、ガンマ線束およびニュートリノ線束から選択された少なくとも１つの線束が含まれる項目１の装置。
１０．上記中性子吸収パラメータ変更物質によって変更可能な中性子吸収パラメータには、反応炉の平均マクロ吸収断面積が含まれる項目１の装置。
１１．上記中性子吸収パラメータ変更物質には、中性子吸収材が含まれる項目１の装置。
１２．上記中性子吸収材には、Ｉｎ、Ｌｉ−６、Ｅｕ、Ａｇ、Ｄｙ、Ｂ、Ｈｆ、Ｇｄ、Ｐｍ、Ｃｄ、Ｓｍ、それらの２元混合物、および、それらの共晶混合物から選択された、少なくとも１つの中性子吸収材が含まれる項目１１の装置。
１３．上記中性子吸収材には、原子核分裂燃料物質が含まれる項目１１の装置。
１４．上記原子核分裂燃料物質には、Ｐｂに溶解しているＵ、Ｕ−Ｆｅ、Ｕ−Ｍｎ、Ｐｕ−Ｍｎ、Ｕ−Ｃｒ、Ｐｕ−Ｃｒ、Ｐｕ−Ｆｅの共晶混合物、およびＰｕ−Ｍｇの共晶混合物から選択された少なくとも１つの原子核分裂燃料物質が含まれる項目１３の装置。
１５．上記中性子吸収パラメータ変更物質によって変更可能な中性子吸収パラメータには、中性子スペクトルが含まれる項目１の装置。
１６．上記中性子吸収パラメータ変更物質には、減速材が含まれる項目１５の装置。
１７．上記減速材には、Ｌｉ−７、Ｃ、ＳｉＣ、水素系物質、水、アンモニア、アセトン、金属水素化物、金属重水素化物、炭素の水懸濁液、および、炭化ケイ素の水懸濁液から選択された、少なくとも１つの減速材が含まれる項目１６の装置。
１８．上記駆動物質内に分布する高Ｚ物質をさらに備える項目１の装置。
１９．上記高Ｚ物質には、Ｗウール、Ｔａ、Ａｕ、Ａｇ、Ｒｅ、およびＯｓから選択された、少なくとも１つの物質が含まれる項目１８の装置。
２０．上記駆動物質は、第１の密度を有し、上記中性子吸収パラメータ変更物質は、上記第１の密度とは異なる第２の密度を有し、上記駆動物質は、中性子吸収パラメータ変更物質とは混和しない項目１の装置。
２１．上記第２の密度は、上記第１の密度より大きい項目２０の装置。
２２．上記第１の密度は、上記第２の密度より大きい項目２０の装置。
２３．第１の貯蔵器と、
上記第１の貯蔵器と間隙を介する第２の貯蔵器と、
上記第１の貯蔵器と上記第２の貯蔵器との間に介設された第１の導管と、
上記第１の貯蔵器に配分され、原子核分裂反応炉の温度操作パラメータに対する反応性を有する駆動物質と、
上記第１の貯蔵器に配分された中性子吸収パラメータ変更物質と、
を有し、
上記中性子吸収パラメータ変更物質は上記駆動物質とは異なる物質であり、
上記中性子吸収パラメータ変更物質の一部は、上記駆動物質の一部と物理的に接触しており、
上記駆動物質によって、上記中性子吸収パラメータ変更物質を、上記第１の貯蔵器と上記第２の貯蔵器との間で動かすことができる受動的反応度制御装置。
２４．上記第２の貯蔵器は、原子核分裂反応炉の炉心の、選択された部分に配置されている項目２３の装置。
２５．上記第２の貯蔵器に配置される複数の部材をさらに有し、上記複数の部材は、上記第２の貯蔵器における自由表面効果を緩和するように配置されている項目２３の装置。
２６．上記第１の貯蔵器には、第１の部分と、上記第１の部分と間隙を介する第２の部分と、上記第１の部分と上記第２の部分との間に介設される第２の導管と、が含まれ、
上記第２の貯蔵器は上記第１の部分と上記第２の部分との間に介設され、上記駆動物質は、上記第１の部分、上記第２の部分および上記第２の導管に配分されている項目２３の装置。
２７．上記駆動物質には気体が含まれる項目２３の装置。
２８．上記気体には、Ｈｅ、Ｘｅ、Ｋｒ、Ａｒ、Ｎｅ、Ｒｎ、Ｎ2、ＣＯ2およびＮＨ3から選択された、少なくとも１つの気体が含まれる項目２７の装置。
２９．上記駆動物質には液体が含まれる項目２３の装置。
３０．上記中性子吸収パラメータ変更物質には、上記駆動物質と混和しない液体が含まれる項目２９の装置。
３１．上記駆動物質には固体が含まれる項目２３の装置。
３２．上記固体には、フェライトステンレス鋼およびジルコニウム合金から選択された少なくとも１つの固体が含まれる項目３１の装置。
３３．上記原子核分裂反応炉の温度操作パラメータには、原子炉冷却剤の温度、反応炉の冷却気の温度、および、燃料の温度から選択された、少なくとも１つの温度が含まれる項目２３の装置。
３４．上記原子核分裂反応炉の温度操作パラメータには、中性子線束、ベータ線束、ガンマ線束およびニュートリノ線束から選択された、少なくとも１つの線束が含まれる項目２３の装置。
３５．上記中性子吸収パラメータ変更物質によって変更可能な中性子吸収パラメータには、反応炉の平均マクロ吸収断面積が含まれる項目２３の装置。
３６．上記中性子吸収パラメータ変更物質には、中性子吸収材が含まれる項目２３の装置。
３７．上記中性子吸収材には、Ｉｎ、Ｌｉ−６、Ｅｕ、Ａｇ、Ｄｙ、Ｂ、Ｈｆ、Ｇｄ、Ｐｍ、Ｃｄ、Ｓｍ、それらの２元混合物、および、それらの共晶混合物から選択された、少なくとも１つの中性子吸収材が含まれる項目３６の装置。
３８．上記中性子吸収材には原子核分裂燃料物質が含まれる項目３６の装置。
３９．上記原子核分裂燃料物質には、Ｐｂに溶解しているＵ、Ｕ−Ｆｅ、Ｕ−Ｍｎ、Ｐｕ−Ｍｎ、Ｕ−Ｃｒ、Ｐｕ−Ｃｒ、Ｐｕ−Ｆｅの共晶混合物、およびＰｕ−Ｍｇの共晶混合物から選択された、少なくとも１つの原子核分裂燃料物質が含まれる項目３８の装置。
４０．上記中性子吸収パラメータ変更物質によって変更可能な中性子吸収パラメータには、中性子スペクトルが含まれる項目２３の装置。
４１．上記中性子吸収パラメータ変更物質には、減速材が含まれる項目４０の装置。
４２．上記減速材には、Ｌｉ−７、Ｃ、ＳｉＣ、水素系物質、水、アンモニア、アセトン、金属水素化物、金属重水素化物、炭素の水懸濁液、および、炭化ケイ素の水懸濁液から選択された少なくとも１つの減速材が含まれる項目４１の装置。
４３．上記駆動物質内に分布する高Ｚ物質をさらに備える項目２３の装置。
４４．上記高Ｚ物質には、Ｗウール、Ｔａ、Ａｕ、Ａｇ、Ｒｅ、およびＯｓから選択された、少なくとも１つの物質が含まれる項目４３の装置。
４５．上記駆動物質は、第１の密度を有し、上記中性子吸収パラメータ変更物質は、上記第１の密度とは異なる第２の密度を有し、上記駆動物質は、中性子吸収パラメータ変更物質とは混和しない項目２３の装置。
４６．上記第２の密度が上記第１の密度より大きい項目４５の装置。
４７．上記第１の密度が上記第２の密度より大きい項目４５の装置。
４８．少なくとも１つの中性子吸収材と、該少なくとも１つの中性子吸収材との空間的関係が固定されるように配置された、少なくとも１つの受動的反応度制御装置と、を有し、
上記受動的反応度制御装置は、原子核分裂反応炉の温度操作パラメータに対する反応性を有する駆動物質と、上記駆動物質とは異なる中性子吸収パラメータ変更物質と、を含み、
上記中性子吸収パラメータ変更物質の一部は、上記駆動物質の一部に物理的に接触しており、
上記駆動物質によって、原子核分裂反応炉の炉心の選択された部分へと、および、当該部分から、上記中性子吸収パラメータ変更物質を動かすことができる反応度制御装置。
４９．筐体をさらに備え、上記少なくとも１つの中性子吸収材および上記少なくとも１つの受動的反応度制御装置は、上記筐体内に配置される項目４８の装置。
５０．上記少なくとも１つの中性子吸収材に動作可能に連結された駆動機構をさらに備える項目４９の装置。
５１．上記駆動物質には気体が含まれる項目４８の装置。
５２．上記気体には、Ｈｅ、Ｘｅ、Ｋｒ、Ａｒ、Ｎｅ、Ｒｎ、Ｎ2、ＣＯ2およびＮＨ3から選択された、少なくとも１つの気体が含まれる項目５１の装置。
５３．上記駆動物質には液体が含まれる項目４８の装置。
５４．上記中性子吸収パラメータ変更物質には、上記駆動物質と混和しない液体が含まれる項目５３の装置。
５５．上記駆動物質には固体が含まれる項目４８の装置。
５６．上記固体には、フェライトステンレス鋼およびジルコニウム合金から選択された少なくとも１つの固体が含まれる項目５５の装置。
５７．上記原子核分裂反応炉の温度操作パラメータには、原子炉冷却剤の温度、反応炉の冷却気の温度、および、燃料の温度から選択された、少なくとも１つの温度が含まれる項目４８の装置。
５８．上記原子核分裂反応炉の温度操作パラメータには、中性子線束、ベータ線束、ガンマ線束およびニュートリノ線束から選択された、少なくとも１つの線束が含まれる項目４８の装置。
５９．上記中性子吸収パラメータ変更物質によって変更可能な中性子吸収パラメータには、反応炉の平均マクロ吸収断面積が含まれる項目４８の装置。
６０．上記中性子吸収パラメータ変更物質には、中性子吸収材が含まれる項目４８の装置。
６１．上記中性子吸収材には、Ｉｎ、Ｌｉ−６、Ｅｕ、Ａｇ、Ｄｙ、Ｂ、Ｈｆ、Ｇｄ、Ｐｍ、Ｃｄ、Ｓｍ、それらの２元混合物、および、それらの共晶混合物から選択された、少なくとも１つの中性子吸収材が含まれる項目６０の装置。
６２．上記中性子吸収材には、原子核分裂燃料物質が含まれる項目６０の装置。
６３．上記原子核分裂燃料物質には、Ｐｂに溶解しているＵ、Ｕ−Ｆｅ、Ｕ−Ｍｎ、Ｐｕ−Ｍｎ、Ｕ−Ｃｒ、Ｐｕ−Ｃｒ、Ｐｕ−Ｆｅの共晶混合物、および、Ｐｕ−Ｍｇの共晶混合物から選択された、少なくとも１つの原子核分裂燃料物質が含まれる項目６２の装置。
６４．上記中性子吸収パラメータ変更物質によって変更可能な中性子吸収パラメータには中性子スペクトルが含まれる項目４８の装置。
６５．上記中性子吸収パラメータ変更物質には減速材が含まれる項目６４の装置。
６６．上記減速材には、Ｌｉ−７、Ｃ、ＳｉＣ、水素系物質、水、アンモニア、アセトン、金属水素化物、金属重水素化物、炭素の水懸濁液、および、炭化ケイ素の水懸濁液から選択された、少なくとも１つの減速材が含まれる項目６５の装置。
６７．上記駆動物質内に分布する高Ｚ物質をさらに備える項目４８の装置。
６８．上記高Ｚ物質には、Ｗウール、Ｔａ、Ａｕ、Ａｇ、Ｒｅ、およびＯｓから選択された、少なくとも１つの物質が含まれる項目６７の装置。
６９．上記駆動物質は、第１の密度を有し、上記中性子吸収パラメータ変更物質は、上記第１の密度とは異なる第２の密度を有し、上記駆動物質は、中性子吸収パラメータ変更物質とは混和しない項目４８の装置。
７０．上記第２の密度が上記第１の密度より大きい項目６９の装置。
７１．上記第１の密度が上記第２の密度より大きい項目６９の装置。
７２．少なくとも１つの中性子吸収材と、少なくとも１つの中性子吸収材との空間的関係が固定されるように配置された、少なくとも１つの受動的反応度制御装置と、を有し、
上記受動的反応度制御装置は、第１の貯蔵器と、上記第１の貯蔵器と間隙を介する第２の貯蔵器と、上記第１の貯蔵器と、上記第２の貯蔵器との間に介設された第１の導管と、上記第１の貯蔵器に配分され、原子核分裂反応炉の温度操作パラメータに対する反応性を有する駆動物質と、上記駆動物質とは異なる中性子吸収パラメータ変更物質と、を含み、
上記中性子吸収パラメータ変更物質は、上記第１の貯蔵器に配分され、
上記中性子吸収パラメータ変更物質の一部は、上記駆動物質の一部と物理的に接触しており、
上記駆動物質によって、上記第１の貯蔵器と、上記第２の貯蔵器との間で、上記中性子吸収パラメータ変更物質を動かすことができる反応度制御装置。
７３．筐体をさらに備え、上記少なくとも１つの中性子吸収材および上記少なくとも１つの受動的反応度制御装置は、上記筐体内に配置される項目７２の装置。
７４．上記少なくとも１つの中性子吸収材に動作可能に連結された駆動機構をさらに備える項目７３の装置。
７５．上記第２の貯蔵器は、原子核分裂反応炉の炉心の、選択された部分に配置されている項目７２の装置。
７６．上記第２の貯蔵器に配置される複数の部材をさらに有し、上記複数の部材は、上記第２の貯蔵器における自由表面効果を緩和するように配置されている項目７２の装置。
７７．上記第１の貯蔵器には、第１の部分と、上記第１の部分と間隙を介する第２の部分と、上記第１の部分と上記第２の部分との間に介設された第２の導管と、が含まれ、
上記第２の貯蔵器は、上記第１の部分と上記第２の部分との間に介設され、上記駆動物質は、上記第１の部分、上記第２の部分および上記第２の導管に配分されている項目７２の装置。
７８．上記駆動物質には気体が含まれる項目７２の装置。
７９．上記気体には、Ｈｅ、Ｘｅ、Ｋｒ、Ａｒ、Ｎｅ、Ｒｎ、Ｎ2、ＣＯ2およびＮＨ3から選択された、少なくとも１つの気体が含まれる項目７８の装置。
８０．上記駆動物質には液体が含まれる項目７２の装置。
８１．上記中性子吸収パラメータ変更物質には、上記駆動物質とは混和しない液体が含まれる項目８０の装置。
８２．上記駆動物質には固体が含まれる項目７２の装置。
８３．上記固体には、フェライトステンレス鋼およびジルコニウム合金から選択された少なくとも１つの固体が含まれる項目８２の装置。
８４．上記原子核分裂反応炉の温度操作パラメータには、原子炉冷却剤の温度、反応炉の冷却気の温度、および、燃料の温度から選択された、少なくとも１つの温度が含まれる項目７２の装置。
８５．上記原子核分裂反応炉の温度操作パラメータには、中性子線束、ベータ線束、ガンマ線束およびニュートリノ線束から選択された、少なくとも１つの線束が含まれる項目７２の装置。
８６．上記中性子吸収パラメータ変更物質によって変更可能な中性子吸収パラメータには、反応炉の平均マクロ吸収断面積が含まれる項目７２の装置。
８７．上記中性子吸収パラメータ変更物質には中性子吸収材が含まれる項目７２の装置。
８８．上記中性子吸収材には、Ｉｎ、Ｌｉ−６、Ｅｕ、Ａｇ、Ｄｙ、Ｂ、Ｈｆ、Ｇｄ、Ｐｍ、Ｃｄ、Ｓｍ、それらの２元混合物、および、それらの共晶混合物から選択された、少なくとも１つの中性子吸収材が含まれる項目８７の装置。
８９．上記中性子吸収材には原子核分裂燃料物質が含まれる項目８７の装置。
９０．上記原子核分裂燃料物質には、Ｐｂに溶解しているＵ、Ｕ−Ｆｅ、Ｕ−Ｍｎ、Ｐｕ−Ｍｎ、Ｕ−Ｃｒ、Ｐｕ−Ｃｒ、Ｐｕ−Ｆｅの共晶混合物、およびＰｕ−Ｍｇの共晶混合物から選択された、少なくとも１つの原子核分裂燃料物質が含まれる項目２３の装置。
９１．上記中性子吸収パラメータ変更物質によって変更可能な中性子吸収パラメータには、中性子スペクトルが含まれる項目７２の装置。
９２．上記中性子吸収パラメータ変更物質には減速材が含まれる項目９１の装置。
９３．上記減速材には、Ｌｉ−７、Ｃ、ＳｉＣ、水素系物質、水、アンモニア、アセトン、金属水素化物、金属重水素化物、炭素の水懸濁液、および、炭化ケイ素の水懸濁液から選択された、少なくとも１つの減速材が含まれる項目９２の装置。
９４．上記駆動物質内に分布する高Ｚ物質をさらに備える項目７２の装置。
９５．上記高Ｚ物質には、Ｗウール、Ｔａ、Ａｕ、Ａｇ、Ｒｅ、およびＯｓから選択された、少なくとも１つの物質が含まれる項目９４の装置。
９６．上記駆動物質は、第１の密度を有し、上記中性子吸収パラメータ変更物質は、上記第１の密度とは異なる第２の密度を有し、上記駆動物質は、中性子吸収パラメータ変更物質とは混和しない項目７２の装置。
９７．上記第２の密度が上記第１の密度より大きい項目９６の装置。
９８．上記第１の密度が上記第２の密度より大きい項目９６の装置。
９９．原子核分裂反応炉の装置であって、
反応炉の容器と、上記反応炉の容器の中に配置され、少なくとも１つの原子核分裂燃料アセンブリを含む反応炉の炉心と、少なくとも１つの中性子吸収材と少なくとも１つの受動的反応度制御装置とを含む少なくとも１つの反応度制御装置と、上記反応炉の炉心に動作可能に連結されている反応炉冷却システムと、を有し、
上記少なくとも１つの受動的反応度制御装置は、少なくとも１つの中性子吸収材との空間的関係が固定されるように配置され、
上記受動的反応度制御装置は、原子核分裂反応炉の温度操作パラメータに対する反応性を有する駆動物質と、上記駆動物質とは異なる中性子吸収パラメータ変更物質と、を含み、
上記中性子吸収パラメータ変更物質の一部は、上記駆動物質の一部に物理的に接触しており、
上記駆動物質によって、原子核分裂反応炉の炉心の選択された部分へと、および、該部分から、上記中性子吸収パラメータ変更物質を動かすことができるようになっている装置。
１００．上記少なくとも１つの受動的反応度制御装置は筐体をさらに含み、上記少なくとも１つの中性子吸収材および上記少なくとも１つの受動的反応度制御装置は、上記筐体内に配置されている項目９９の装置。
１０１．上記少なくとも１つの受動的反応度制御装置は、上記少なくとも１つの中性子吸収材に動作可能に連結されている駆動機構をさらに含む項目１００の装置。
１０２．上記駆動物質には気体が含まれる項目９９の装置。
１０３．上記気体には、Ｈｅ、Ｘｅ、Ｋｒ、Ａｒ、Ｎｅ、Ｒｎ、Ｎ2、ＣＯ2およびＮＨ3から選択される少なくとも１つの気体が含まれる項目１０２の装置。
１０４．上記駆動物質には液体が含まれる項目９９の装置。
１０５．上記中性子吸収パラメータ変更物質には上記駆動物質とは混和しない液体が含まれる項目１０４の装置。
１０６．上記駆動物質には固体が含まれる項目９９の装置。
１０７．上記固体には、フェライトステンレス鋼およびジルコニウム合金から選択された少なくとも１つの固体が含まれる項目１０６の装置。
１０８．上記原子核分裂反応炉の温度操作パラメータには、原子炉冷却剤の温度、反応炉の冷却気の温度、および、燃料の温度から選択された、少なくとも１つの温度が含まれる項目９９の装置。
１０９．上記原子核分裂反応炉の温度操作パラメータには、中性子線束、ベータ線束、ガンマ線束およびニュートリノ線束から選択された、少なくとも１つの線束が含まれる項目９９の装置。
１１０．上記中性子吸収パラメータ変更物質によって変更可能な中性子吸収パラメータには、反応炉の平均マクロ吸収断面積が含まれる項目９９の装置。
１１１．上記中性子吸収パラメータ変更物質には中性子吸収材が含まれる項目９９の装置。
１１２．上記中性子吸収材には、Ｉｎ、Ｌｉ−６、Ｅｕ、Ａｇ、Ｄｙ、Ｂ、Ｈｆ、Ｇｄ、Ｐｍ、Ｃｄ、Ｓｍ、それらの２元混合物、および、それらの共晶混合物から選択された、少なくとも１つの中性子吸収材が含まれる項目１１１の装置。
１１３．上記中性子吸収材には原子核分裂燃料物質が含まれる項目１１１の装置。
１１４．上記原子核分裂燃料物質には、Ｐｂに溶解しているＵ、Ｕ−Ｆｅ、Ｕ−Ｍｎ、Ｐｕ−Ｍｎ、Ｕ−Ｃｒ、Ｐｕ−Ｃｒ、Ｐｕ−Ｆｅの共晶混合物、およびＰｕ−Ｍｇの共晶混合物から選択された、少なくとも１つの原子核分裂燃料物質が含まれる項目１１３の装置。
１１５．上記中性子吸収パラメータ変更物質によって変更可能な中性子吸収パラメータには中性子スペクトルが含まれる項目９９の装置。
１１６．上記中性子吸収パラメータ変更物質には、減速材が含まれる項目１１５の装置。
１１７．上記減速材には、Ｌｉ−７、Ｃ、ＳｉＣ、水素系物質、水、アンモニア、アセトン、金属水素化物、金属重水素化物、炭素の水懸濁液、および、炭化ケイ素の水懸濁液から選択された、少なくとも１つの減速材が含まれる項目１１６の装置。
１１８．上記駆動物質内に分布する高Ｚ物質をさらに備える項目９９の装置。
１１９．上記高Ｚ物質には、Ｗウール、Ｔａ、Ａｕ、Ａｇ、Ｒｅ、およびＯｓから選択された、少なくとも１つの物質が含まれる項目１１８の装置。
１２０．上記駆動物質は、第１の密度を有し、上記中性子吸収パラメータ変更物質は、上記第１の密度とは異なる第２の密度を有し、上記駆動物質は、中性子吸収パラメータ変更物質とは混和しない項目９９の装置。
１２１．上記第２の密度が上記第１の密度より大きい項目１２０の装置。
１２２．上記第１の密度が上記第２の密度より大きい項目１２０の装置。
１２３．原子核分裂反応炉における反応度を制御する方法であって、
少なくとも１つの温度操作パラメータを有する原子核分裂反応炉を操作する工程と、
上記少なくとも１つの温度操作パラメータに応じて駆動物質の体積を変更する工程と、
上記駆動物質によって、中性子吸収パラメータ変更物質を、上記原子核分裂反応炉の炉心の選択された部分へと、または、該部分から動かす工程と、を含み、
上記中性子吸収パラメータ変更物質は上記駆動物質とは異なっており、上記中性子吸収パラメータ変更物質の一部は上記駆動物質の一部と物理的に接触している方法。
１２４．上記駆動物質によって、上記中性子吸収パラメータ変更物質が、上記原子核分裂反応炉の上記炉心の上記選択された部分へと、または、該部分から動かされたことに反応して、上記原子核分裂反応炉の上記炉心の上記選択された部分における中性子吸収パラメータを変更する工程をさらに含んでいる項目１２３の方法。
１２５．原子核分裂反応炉の温度操作パラメータには、原子炉冷却剤の温度、反応炉の冷却気の温度、および、燃料の温度から選択された、少なくとも１つの温度が含まれる項目１２３の方法。
１２６．原子核分裂反応炉の温度操作パラメータには、中性子線束、ベータ線束、ガンマ線束、および、ニュートリノ線束から選択された、少なくとも１つの線束が含まれる項目１２３の方法。
１２７．上記駆動物質には、その中に分布する高Ｚ物質が含まれ、
上記温度操作パラメータに対する反応性を有する駆動物質の体積を変更する工程には、上記少なくとも１つの線束に応じて上記駆動物質内に分布する高Ｚ物質を熱する工程が含まれる項目１２３の方法。
１２８．上記中性子吸収パラメータ変更物質には減速材が含まれる項目１２３の方法。
１２９．上記駆動物質によって、上記減速材が、上記原子核分裂反応炉の上記炉心の上記選択された部分へと、または、該部分から動かされたことに反応して、上記炉心の上記選択された部分の中性子スペクトルを変更する工程がさらに含んでいる項目１２８の方法。
１３０．受動的反応度制御装置を製造する方法であって、
第１の貯蔵器を製造する工程と、
上記第１の貯蔵器から間隙を介する第２の貯蔵器を製造する工程と、
上記第１の貯蔵器および上記第２の貯蔵器の間に第１の導管を介設する工程と、
原子核分裂反応炉の温度操作パラメータに対する反応性を有する駆動物質を上記第１の貯蔵器に配分する工程と、
中性子吸収パラメータ変更物質を上記第１の貯蔵器に配分する工程とを含み、
上記中性子吸収パラメータ変更物質は上記駆動物質とは異なる物質であり、
上記中性子吸収パラメータ変更物質は上記第１の貯蔵器に配分され、
上記中性子吸収パラメータ変更物質の一部は駆動物質１２の一部に物理的に接触しており、
上記中性子吸収パラメータ変更物質は、上記駆動物質によって、上記第１の貯蔵器とび上記第２の貯蔵器との間で動かすことができるようになっている方法。
１３１．複数の部材を上記第２の貯蔵器に配置する工程をさらに含み、
当該工程にて上記複数の部材は上記第２の貯蔵器における自由表面効果を緩和するように配置される項目１３０の方法。
１３２．第１の貯蔵器を製造する工程には、上記第１の貯蔵器の第１の部分を製造する工程と、上記第１の貯蔵器の上記第１の部分から間隙を介する、上記第１の貯蔵器の第２の部分を製造する工程と、上記第１の貯蔵器の上記第１の部分と上記第１の貯蔵器の上記第２の部分との間に第２の導管を介設する工程と、を含み、
上記第２の貯蔵器は、上記第１の貯蔵器の上記第１の部分と、上記第１の貯蔵器の上記第２の部分との間に介設される項目１３０の方法。
１３３．駆動物質を上記第１の貯蔵器に配分する工程には、上記駆動物質を、上記第１の貯蔵器の上記第１の部分、上記第１の貯蔵器の上記第２の部分、および、上記第２の導管に配分する工程が含まれる項目１３２の方法。
１３４．反応度制御装置を製造する方法であって、
少なくとも１つの中性子吸収材を設ける工程と、
少なくとも１つの受動的反応度制御装置を上記少なくとも１つの中性子吸収材との空間的関係が固定されるように配置する工程と、を含み、
上記受動的反応度制御装置には、原子核分裂反応炉の温度操作パラメータに対する反応性を有する駆動物質、および、上記駆動物質とは異なる中性子吸収パラメータ変更物質が含まれており、
上記中性子吸収パラメータ変更物質の一部は上記駆動物質の一部と物理的に接触しており、
上記中性子吸収パラメータ変更物質は、上記駆動物質によって、原子核分裂反応炉の炉心の選択された部分へと、または、当該部分から動かすことができるようになっている方法。
１３５．筐体内に、少なくとも１つの中性子吸収材と、少なくとも１つの受動的反応度制御装置と、を配置する工程をさらに含んでいる項目１３４の方法。
１３６．少なくとも１つの中性子吸収材に駆動機構を動作可能に連結する工程をさらに含んでいる項目１３５の方法。
【図面の簡単な説明】
【０１１０】
【図１Ａ】実例である実施形態に係る受動的反応度制御装置の略図である。
【図１Ｂ】実例である実施形態に係る受動的反応度制御装置の略図である。
【図１Ｃ】実例である実施形態に係る受動的反応度制御装置の略図である。
【図２Ａ】別の実例である実施形態に係る受動的反応度制御装置の略図である。
【図２Ｂ】図２Ａの受動的反応度制御装置の透視図である。
【図２Ｃ】実例に係る反応度制御装置の分解斜視図である。
【図３】実例に係る原子核分裂反応炉の略図である。
【図４Ａ】原子核分裂反応炉における反応度を制御する方法の実例のフローチャートである。
【図４Ｂ】図４Ａのフローチャートの方法の実例となる詳細である。
【図４Ｃ】図４Ａのフローチャートの方法の実例となる詳細である。
【図４Ｄ】図４Ａのフローチャートの方法の実例となる詳細である。
【図５Ａ】受動的反応度制御装置を製造する方法の実例のフローチャートである。
【図５Ｂ】図５Ａのフローチャートの方法の実例となる詳細である。
【図５Ｃ】図５Ａのフローチャートの方法の実例となる詳細である。
【図５Ｄ】図５Ａのフローチャートの方法の実例となる詳細である。
【図６Ａ】反応度制御装置を製造する方法の実例のフローチャートである。
【図６Ｂ】図６Ａのフローチャートの方法の実例となる詳細である。
【図６Ｃ】図６Ａのフローチャートの方法の実例となる詳細である。
【図１Ａ】
2015500993.tif 000003
【図１Ｂ】
2015500993.tif 000004
【図１Ｃ】
2015500993.tif 000005
【図２Ａ】
2015500993.tif 000006
【図２Ｂ】
2015500993.tif 000007
【図２Ｃ】
2015500993.tif 000008
【図３】
2015500993.tif 000009
【図４Ａ】
2015500993.tif 000010
【図４Ｂ】
2015500993.tif 000011
【図４Ｃ】
2015500993.tif 000012
【図４Ｄ】
2015500993.tif 000013
【図５Ａ】
2015500993.tif 000014
【図５Ｂ】
2015500993.tif 000015
【図５Ｃ】
2015500993.tif 000016
【図５Ｄ】
2015500993.tif 000017
【図６Ａ】
2015500993.tif 000018
【図６Ｂ】
2015500993.tif 000019
【図６Ｃ】
2015500993.tif 000020
【国際調査報告】
2015500993.tif 000021